(57)【要約】【課題】窓の室内側に沿って設置される大型ＬＥＤ電光表示機のメンテナンス性を向上させる。【解決手段】窓の室内側に沿って設置される大型ＬＥＤ電光表示機１の電光表示画面を複数のＬＥＤピクセルパネル１０で構成するにあたり、ＬＥＤピクセルパネル１０がそれぞれ取付けられる複数の電光表示機ケースブロック５１を、水平方向及び／又は垂直方向に順次結合して電光表示画面を構成するものとし、電光表示機ケースブロック５１は、前面がＬＥＤピクセルパネル１０を設置するために開口され、後面がメンテナンスを行なうために開口されたケース部５１０と、ケース部５１０の前面開口部でＬＥＤピクセルパネルを支持するパネル支持部５２０と、ケース部５１０の後面開口部を開閉自在に覆うドア５３０とを備え、パネル支持部５２０は、ＬＥＤピクセルパネル１０を、後面開口部を介して後側から着脱可能に構成される。【選択図】図８
2014219475.tif 000002
【特許請求の範囲】
【請求項１】
建物に設けられる窓の室内側に沿って設置され、窓を介して室内から室外に向けて電光表示を行う大型ＬＥＤ電光表示機であって、
前記大型ＬＥＤ電光表示機の電光表示画面を複数のＬＥＤピクセルパネルで構成するにあたり、
前記ＬＥＤピクセルパネルがそれぞれ取付けられる複数の電光表示機ケースブロックを、水平方向及び／又は垂直方向に順次結合して前記電光表示画面を構成するものとし、
前記電光表示機ケースブロックは、
前面が前記ＬＥＤピクセルパネルを設置するために開口され、後面がメンテナンスを行なうために開口されたケース部と、
前記ケース部の前面開口部で前記ＬＥＤピクセルパネルを支持するパネル支持部と、
前記ケース部の後面開口部を開閉自在に覆うドアとを備え、
前記パネル支持部は、
前記ＬＥＤピクセルパネルを、前記後面開口部を介して後側から着脱可能に構成されることを特徴とする結合式大型ＬＥＤ電光表示機。
【請求項２】
前記電光表示機ケースブロックは、前記ケース部の左側壁部及び右側壁部に、隣接する前記電光表示機ケースブロックの内部同士を連通させる配線用の貫通孔を備えることを特徴とする請求項１に記載の結合式大型ＬＥＤ電光表示機。
【請求項３】
前記電光表示機ケースブロックは、所定の操作に応じて隣接する前記電光表示機ケースブロック同士を結合させる結合手段を備え、
前記結合手段は、
一方の側壁部に設けられるピン部と、
他方の側壁部に設けられる締結部とからなり、
該締結部が所定の操作に応じて隣接する前記電光表示機ケースブロックのピン部と結合することを特徴とする請求項１又は２に記載の結合式大型ＬＥＤ電光表示機。
【請求項４】
前記電光表示機ケースブロックの外側面に結合され、結合された複数の前記電光表示機ケースブロックを所定の姿勢に保持する電光表示機固定台を備えることを特徴とする請求項１〜３のいずれか一項に記載の結合式大型ＬＥＤ電光表示機。
【請求項５】
前記電光表示機固定台が前記電光表示機ケースブロックの前後傾斜角を変更するチルト機能を備えることを特徴とする請求項４に記載の結合式大型ＬＥＤ電光表示機。
【請求項６】
前記電光表示画面の表示を制御する表示制御モジュールと、
前記表示制御モジュールに制御命令を入力するために、多数のキーを持つリモコンと、
前記リモコンの信号を受信して前記表示制御モジュールに入力するリモコン受信部と、
前記電光表示機ケースブロックの外部又は内部に設置され、前記電光表示画面に出力される文字、イメージを同様に出力するモニタとを備えることを特徴とする請求項１〜５のいずれか一項に記載の結合式大型ＬＥＤ電光表示機。
【発明の詳細な説明】
【技術分野】
【０００１】
本発明は、建物に設けられる窓の室内側に沿って設置され、窓を介して室内から室外に向けて電光表示を行う大型ＬＥＤ電光表示機に関する。
【背景技術】
【０００２】
ＬＥＤ電光表示機は、広告看板とともに一般的に使われる広告手段であり、文字やイメージを動的に表示して多様な情報を提供することができる。このようなＬＥＤ電光表示機は、通常、ＬＥＤピクセルパネル、駆動ドライバモジュール、表示制御モジュール及び電源モジュールと、これらを組み込むための電光表示機ケースとを備えて構成される。
【０００３】
電光表示機ケースには、設計されたＬＥＤ電光表示機の大きさに合わせて事前に製作する事前製作形態と、複数の電光表示機ケースブロック（ユニット）を現場で順次結合して組み立てられる組立製作形態とがあり、特許文献１には、組立製作形態である結合式大型ＬＥＤ電光表示機が示されている。
【先行技術文献】
【特許文献】
【０００４】
【特許文献１】実用新案登録第３０５３０６３号
【発明の概要】
【発明が解決しようとする課題】
【０００５】
ところで、駅前や繁華街では、建物の壁面に大型ＬＥＤ電光表示機を設置し、各種の広告表示が行なわれている。このような大型ＬＥＤ電光表示機による広告表示は極めて広告効果が高いものであるが、壁面設置可能な大型ＬＥＤ電光表示機は、それ自体が高価であるだけでなく、大掛かりな設置工事が必要になるので、その設置コストが極めて高額になるという問題がある。
【０００６】
そこで、図１に示すように、建物に設けられる窓の室内側に沿って大型ＬＥＤ電光表示機を設置し、窓を介して室内から室外に向けて電光表示を行うことが提案されるが、従来においては、室内設置用の大型ＬＥＤ電光表示機は存在しないため、設置が困難であった。
【０００７】
なお、特許文献１に示されるような結合式大型ＬＥＤ電光表示機であれば、複数の電光表示機ケースブロックをエレベータで設置階まで運んで組み立てることが可能と考えられる。しかしながら、図１に示すように、窓の室内側に沿って大型ＬＥＤ電光表示機を設置すると、ＬＥＤピクセルパネルに故障が発生したとき、故障したＬＥＤピクセルパネルの電光表示機ケースブロックを他の電光表示機ケースブロックから分離して修理する必要があるだけでなく、修理後に再び結合させる必要があるので、メンテナンス性に問題がある。
【課題を解決するための手段】
【０００８】
本発明は、上記の如き実情に鑑みこれらの課題を解決することを目的として創作されたものであって、建物に設けられる窓の室内側に沿って設置され、窓を介して室内から室外に向けて電光表示を行う大型ＬＥＤ電光表示機であって、前記大型ＬＥＤ電光表示機の電光表示画面を複数のＬＥＤピクセルパネルで構成するにあたり、前記ＬＥＤピクセルパネルがそれぞれ取付けられる複数の電光表示機ケースブロックを、水平方向及び／又は垂直方向に順次結合して前記電光表示画面を構成するものとし、前記電光表示機ケースブロックは、前面が前記ＬＥＤピクセルパネルを設置するために開口され、後面がメンテナンスを行なうために開口されたケース部と、前記ケース部の前面開口部で前記ＬＥＤピクセルパネルを支持するパネル支持部と、前記ケース部の後面開口部を開閉自在に覆うドアとを備え、前記パネル支持部は、前記ＬＥＤピクセルパネルを、前記後面開口部を介して後側から着脱可能に構成されることを特徴とする。
また、前記電光表示機ケースブロックは、前記ケース部の左側壁部及び右側壁部に、隣接する前記電光表示機ケースブロックの内部同士を連通させる配線用の貫通孔を備えることを特徴とする。
また、前記電光表示機ケースブロックは、所定の操作に応じて隣接する前記電光表示機ケースブロック同士を結合させる結合手段を備え、前記結合手段は、一方の側壁部に設けられるピン部と、他方の側壁部に設けられる締結部とからなり、該締結部が所定の操作に応じて隣接する前記電光表示機ケースブロックのピン部と結合することを特徴とする。
また、前記電光表示機ケースブロックの外側面に結合され、結合された複数の前記電光表示機ケースブロックを所定の姿勢に保持する電光表示機固定台を備えることを特徴とする。
また、前記電光表示機固定台が前記電光表示機ケースブロックの前後傾斜角を変更するチルト機能を備えることを特徴とする。
また、前記電光表示画面の表示を制御する表示制御モジュールと、前記表示制御モジュールに制御命令を入力するために、多数のキーを持つリモコンと、前記リモコンの信号を受信して前記表示制御モジュールに入力するリモコン受信部と、前記電光表示機ケースブロックの外部又は内部に設置され、前記電光表示画面に出力される文字、イメージを同様に出力するモニタとを備えることを特徴とする。
【発明の効果】
【０００９】
請求項１の発明によれば、建物に設けられる窓の室内側に沿って設置され、窓を介して室内から室外に向けて電光表示を行う大型ＬＥＤ電光表示機でありながら、ＬＥＤピクセルパネルがそれぞれ取付けられる複数の電光表示機ケースブロックを、水平方向及び／又は垂直方向に順次結合して構成されるので、設置コストを削減できるだけでなく、工事期間も短縮することができる。しかも、ＬＥＤピクセルパネルは、電光表示機ケースブロックの後面開口部を介して後側から着脱することができるので、たとえＬＥＤピクセルパネルが故障したとしても、故障したＬＥＤピクセルパネルの電光表示機ケースブロックを他の電光表示機ケースブロックから分離したり、修理後に再び結合させる必要がなく、その結果、窓の室内側に沿って設置される大型ＬＥＤ電光表示機のメンテナンス性を飛躍的に向上させることができる。
また、請求項２の発明によれば、電光表示機ケースブロックは、ケース部の左側壁部及び右側壁部に、隣接する電光表示機ケースブロックの内部同士を連通させる配線用の貫通孔を備えるので、電光表示機ケースブロック間の配線がケース外部に露出することを回避し、室内における美観の低下を防止できる。
また、請求項３の発明によれば、電光表示機ケースブロックは、所定の操作に応じて隣接する電光表示機ケースブロック同士を結合させる結合手段を備えるので、室内における大型ＬＥＤ電光表示機の組立性を向上させることができる。
また、請求項４の発明によれば、電光表示機ケースブロックの外側面に結合され、結合された複数の電光表示機ケースブロックを所定の姿勢に保持する電光表示機固定台を備えるので、地震による大型ＬＥＤ電光表示機の転倒などを防止することができる。
また、請求項５の発明によれば、電光表示機固定台が電光表示機ケースブロックの前後傾斜角を変更するチルト機能を備えるので、大型ＬＥＤ電光表示機を建物の上層階に設置する場合、前傾角度を大きくすることにより、室外における電光表示の視認性を高めることができる。
また、請求項６の発明によれば、建物に設けられる窓の室内側に沿って設置され、窓を介して室内から室外に向けて電光表示を行う大型ＬＥＤ電光表示機でありながら、表示内容をリモコン操作できるだけでなく、表示内容をモニタで確認することが可能になる。
【図面の簡単な説明】
【００１０】
【図１】結合式大型ＬＥＤ電光表示機の室内設置例（直立姿勢）を示す建物の斜視図である。
【図２】結合式大型ＬＥＤ電光表示機の基本構成を概念的に示すブロック図である。
【図３】２段６列のＬＥＤピクセルパネルで構成される結合式大型ＬＥＤ電光表示機の斜視図であり、（Ａ）は結合前の斜視図、（Ｂ）は結合後の斜視図である。
【図４】結合式大型ＬＥＤ電光表示機の電光表示機ケースブロック（ケース部＋ドア）を示す斜視図であり、（Ａ）は前側から見た斜視図、（Ｂ）は後側から見た斜視図である。
【図５】結合式大型ＬＥＤ電光表示機における電光表示機ケースブロックの結合部分を示す断面斜視図である。
【図６】結合式大型ＬＥＤ電光表示機におけるカバー部を示す分解斜視図である。
【図７】結合式大型ＬＥＤ電光表示機におけるパネル支持部を示す分解斜視図である。
【図８】結合式大型ＬＥＤ電光表示機におけるパネル支持部のＬＥＤピクセルパネルの着脱構造を示す水平断面図である。
【図９】結合式大型ＬＥＤ電光表示機における電光表示機固定台のチルト機能を示す斜視図であり、（Ａ）は直立姿勢を示す斜視図、（Ｂ）は前傾姿勢を示す斜視図である。
【図１０】結合式大型ＬＥＤ電光表示機の室内設置例（前傾姿勢）を示す建物の斜視図である。
【図１１】結合式大型ＬＥＤ電光表示機におけるＬＥＤピクセルパネル及びモニタの表示を示す斜視図であり、（Ａ）は前側から見た斜視図、（Ｂ）は後側から見た斜視図である。
【発明を実施するための形態】
【００１１】
以下、本発明の実施の形態について、図面にもとづいて説明する。
【００１２】
図１は、結合式大型ＬＥＤ電光表示機の室内設置例（直立姿勢）を示す建物の斜視図である。
図１において、１は結合式大型ＬＥＤ電光表示機であって、該結合式大型ＬＥＤ電光表示機１は、建物に設けられる窓の室内側に沿って設置され、窓を介して室内から室外に向けて電光表示を行う。
【００１３】
図２は、結合式大型ＬＥＤ電光表示機の基本構成を概念的に示すブロック図である。
図２に示すように、多数のＬＥＤピクセルパネル１０からなる発光部と、発光部の各ＬＥＤピクセルパネル１０を駆動する駆動ドライバーモジュール２０と、各ＬＥＤピクセルパネル１０の表示を制御する表示制御モジュール３０と、電源供給のための電源モジュール４０と、これらが装着される電光表示機ケース５０とを備える。
【００１４】
なお、ＬＥＤピクセルパネル１０、駆動ドライバーモジュール２０、表示制御モジュール３０及び電源モジュール４０は、通常のＬＥＤ電光表示機を構成する要素であるから、詳細な説明は省略する。
【００１５】
以下、２段６列のＬＥＤピクセルパネル１０を用いて構成される本実施形態の結合式大型ＬＥＤ電光表示機１について詳しく説明する。
【００１６】
図３は、２段６列のＬＥＤピクセルパネルで構成される結合式大型ＬＥＤ電光表示機の斜視図であり、（Ａ）は結合前の斜視図、（Ｂ）は結合後の斜視図である。
図３に示すように、本実施形態の結合式大型ＬＥＤ電光表示機１は、２段２列のＬＥＤピクセルパネル１０を備えた電光表示機ケースブロック５１からなる３セットのＬＥＤ電光表示機Ｐ１〜Ｐ３を用いて構成されており、これら３セットのＬＥＤ電光表示機Ｐ１〜Ｐ３を順次結合して、２段６列のＬＥＤピクセルパネル１０を備えた結合式大型ＬＥＤ電光表示機１を構成している。
【００１７】
例えば、電光表示機ケースブロック５１のサイズが１ｍ（Ｗ）×１ｍ（Ｈ）の場合、全体で２段６列のＬＥＤピクセルパネル１０を備えた結合式大型ＬＥＤ電光表示機１のサイズは３ｍ（Ｗ）×１ｍ（Ｈ）になる。したがって、従来一体型に形成された電光表示機ケースで構成されているＬＥＤ電光表示機の場合は、電光表示機ケースの大きさが３ｍ（Ｗ）×１ｍ（Ｈ）にもなってエレベーターや階段を利用して移動するのは事実上困難である。
【００１８】
しかしながら、本発明の実施形態に係る結合式大型ＬＥＤ電光表示機１は、複数の電光表示機ケースブロック５１を結合して構成されるので、分離した各電光表示機ケースブロック５１のサイズが１ｍ（Ｗ）×１ｍ（Ｈ）でしかない。したがって、エレベーターや階段を利用して移動が可能になり、現場で結合をすることで、３ｍ（Ｗ）×１ｍ（Ｈ）の大きさを有する結合式ＬＥＤ電光表示機１を構成することが可能になる。
【００１９】
図４は、結合式大型ＬＥＤ電光表示機の電光表示機ケースブロック（ケース部＋ドア）を示す斜視図であり、（Ａ）は前側から見た斜視図、（Ｂ）は後側から見た斜視図である。
図４に示すように、本実施形態の電光表示機ケースブロック５１は、前面がＬＥＤピクセルパネル１０を設置するために開口され、後面がメンテナンスを行なうために開口された四角枠形状のケース部５１０と、ケース部５１０の前面開口部でＬＥＤピクセルパネル１０を支持するパネル支持部５２０と、ケース部５１０の後面開口部を開閉自在に覆うドア５３０と、ケース部５１０の左側壁及び右側壁の内側に一体的に設けられる補強用の四角柱５４０とを有し、四角柱５４０の部分には、貫通孔５５０、締結部５６０及びピン部５７０を備える。
【００２０】
図５は、結合式大型ＬＥＤ電光表示機における電光表示機ケースブロックの結合部分を示す断面斜視図である。
図４及び図５に示すように、貫通孔５５０は、隣接する電光表示機ケースブロック５１の内部同士を連通させるように、ケース部５１０の左側壁部及び右側壁部に形成されている。このような貫通孔５５０によれば、電光表示機ケースブロック５１間の配線（電源ケーブルやデータケーブル）がケース外部に露出することを回避し、室内における美観の低下を防止できる。なお、本実施形態では、ケース部５１０の各側壁部に２つの貫通孔５５０を形成しているが、必要に応じて３つ以上の貫通孔５５０を設けることもできる。
【００２１】
図４及び図５に示すように、締結部５６０及びピン部５７０は、ケース部５１０の左側壁及び右側壁にそれぞれ形成されており、締結部５６０は、隣接する電光表示機ケースブロック５１のピン部５７０と対向し、ピン部５７０は、隣接する電光表示機ケースブロック５１の締結部５６０と対向するように、左右の側壁における締結部５６０とピン部５７０の配置が上下に反転している。
【００２２】
締結部５６０及びピン部５７０は、非結合状態でケース部５１０の外側面よりも内側に内在する。これは、隣接する電光表示機ケースブロック５１同士の外側面同士を当接させた状態で締結部５６０とピン部５７０を結合させるためである。そして、本実施形態の締結部５６０は、フック形状の締結金具５６１と、該締結金具５６１を回動自在に支持する支軸５６２とを備えており、該支軸５６２をケース部５１０の外部（後側）からドライバなどの工具で所定方向に回動操作することにより、締結金具５６１を隣接する電光表示機ケースブロック５１のピン部５７０に係合させることができ、この係合により隣接する電光表示機ケースブロック５１同士を一体的に結合させることが可能になる。
【００２３】
図６は、結合式大型ＬＥＤ電光表示機におけるカバー部を示す分解斜視図である。
図６に示すように、ケース部５１０には、露出状態の貫通孔５５０、締結部５６０及びピン部５７０を塞ぐ着脱自在なカバー５８０を取り付けることができる。このようなカバー５８０によれば、電光表示機ケースブロック５１の非結合側面において、貫通孔５５０、締結部５６０及びピン部５７０が露出して美観を低下させたり、貫通孔５５０、締結部５６０及びピン部５７０内に埃が溜まるなどの不都合を防止することができる。なお、カバー５８０としては、貫通孔５５０、締結部５６０及びピン部５７０内に弾性的に嵌合可能な樹脂素材とすることが望ましい。
【００２４】
なお、電光表示機ケースブロック５１は、締結部５６０とピン部５７０による結合だけでなく、図１１に示すような補強部材５９０によって結合強度を高めるようにしてもよい。例えば、補強部材５９０は、３ｍｍ以上の板厚を有する四角形状の鉄板とし、隣接する電光表示機ケースブロック５１のケース部５１０に跨ってネジ止めすることにより、結合強度を高めることができる。
【００２５】
図７は、結合式大型ＬＥＤ電光表示機におけるパネル支持部を示す分解斜視図、図８は、結合式大型ＬＥＤ電光表示機におけるパネル支持部のＬＥＤピクセルパネルの着脱構造を示す水平断面図である。
図７及び図８に示すように、パネル支持部５２０は、ＬＥＤピクセルパネル１０を設置のために、ケース部５１０の前面開口部に設けられる。本実施形態のパネル支持部５２０は、４枚のＬＥＤピクセルパネル１０を支持する４つの支持枠５２１を有し、各支持枠５２１にＬＥＤピクセルパネル１０を設置することができる。
【００２６】
各支持枠５２１は、ＬＥＤピクセルパネル１０を後側（ケース部５１０の内部側）から着脱できるように構成されている。このようにすると、ＬＥＤピクセルパネル１０を、電光表示機ケースブロック５１の後面開口部を介して後側から着脱することができるので、たとえＬＥＤピクセルパネル１０が故障したとしても、故障したＬＥＤピクセルパネル１０の電光表示機ケースブロック５１を他の電光表示機ケースブロック５１から分離したり、修理後に再び結合させることが不要になる。
【００２７】
具体的に説明すると、図８に示すように、本実施形態に係るパネル支持部５２０の支持枠５２１は、ＬＥＤピクセルパネル１０の一側部を係合保持する係合溝部５２２と、ＬＥＤピクセルパネル１０の他側部を前方から受止める受け部５２３と、ＬＥＤピクセルパネル１０の他側部に設けられるＬ字金具１１をボルト・ナットなどの固定具１２を介して固定支持する固定支持部５２４とを備える。
【００２８】
つまり、いずれかのＬＥＤピクセルパネル１０が故障した場合は、故障したＬＥＤピクセルパネル１０の電光表示機ケースブロック５１のドア５３０を開け、故障したＬＥＤピクセルパネル１０の配線を外した後、故障したＬＥＤピクセルパネル１０を固定している固定具１２を外す。固定具１２を外した後、固定解除されたＬＥＤピクセルパネル１０の他側部を後方に引くと、故障したＬＥＤピクセルパネル１０の一側部もパネル支持部５２０の係合溝部５２２から外れる。これにより、故障したＬＥＤピクセルパネル１０が自由状態となり、ケース部５１０の後面開口部から取り出すことが可能になる。
【００２９】
修理又は交換したＬＥＤピクセルパネル１０を電光表示機ケースブロック５１に取り付ける場合は、電光表示機ケースブロック５１のドア５３０を開け、ＬＥＤピクセルパネル１０の一側部をパネル支持部５２０の係合溝部５２２に係合させた後、ＬＥＤピクセルパネル１０の他側部をパネル支持部５２０の受け部５２３に後方から当接させる。その後、ＬＥＤピクセルパネル１０の他側部に設けられるＬ字金具１１を固定具１２を介してパネル支持部５２０の固定支持部５２４に固定させる。そして、外した配線を元のように接続すれば、ＬＥＤピクセルパネル１０の修理、交換作業が完了する。
【００３０】
図９は、結合式大型ＬＥＤ電光表示機における電光表示機固定台のチルト機能を示す斜視図であり、（Ａ）は直立姿勢を示す斜視図、（Ｂ）は前傾姿勢を示す斜視図、図１０は、結合式大型ＬＥＤ電光表示機の室内設置例（前傾姿勢）を示す建物の斜視図である。
図９に示すように、結合式大型ＬＥＤ電光表示機１は、電光表示機ケースブロック５１の外側面に結合され、結合された複数の電光表示機ケースブロック５１を所定の姿勢に保持する電光表示機固定台５２を備えることができる。このような電光表示機固定台５２によれば、地震による大型ＬＥＤ電光表示機１の転倒などを防止することができる。
【００３１】
また、電光表示機固定台５２は、電光表示機ケースブロック５１の前後傾斜角を変更するチルト機能を備えることが望ましい。このようにすると、大型ＬＥＤ電光表示機１を建物の上層階に設置する場合、前傾角度を大きくすることにより、室外における電光表示の視認性を高めることができる。
【００３２】
なお、本実施形態では、電光表示機固定台５２は、ボルト５３を介して電光表示機ケースブロック５１の側面に取り付けられており、ボルト５３の弛緩状態で電光表示機ケースブロック５１の前後回動を許容し、ボルト５３の締付けにより、所定の前後傾斜角で電光表示機ケースブロック５１の前後回動を規制するが、電光表示機固定台５２のチルト機構は、このような構造に限定されないことは言うまでもない。
【００３３】
また、本実施形態では、結合式大型ＬＥＤ電光表示機１を左右一対の電光表示機固定台５２で支持しているが、電光表示機固定台５２以外の固定手段で結合式大型ＬＥＤ電光表示機１を固定してもよい。例えば、建物に設けられた水平バーや水平レールに対して結合式大型ＬＥＤ電光表示機１を固定したり、建物の床面に設置される台の上に結合式大型ＬＥＤ電光表示機１を固定状に設置したり、天井から吊り下げたワイヤやロッドで結合式大型ＬＥＤ電光表示機１を固定することができる。
【００３４】
図１１は、結合式大型ＬＥＤ電光表示機におけるＬＥＤピクセルパネル及びモニタの表示を示す斜視図であり、（Ａ）は前側から見た斜視図、（Ｂ）は後側から見た斜視図である。
図２及び図１１に示すように、結合大型ＬＥＤ電光表示機１は、表示制御モジュール３０に制御命令を入力するために、多数のキーを持つリモコン３０と、リモコン６０の信号を受信して表示制御モジュール３０に入力するリモコン受信部７０と、電光表示機ケースブロック５１の外部又は内部に設置され、結合大型ＬＥＤ電光表示機１の電光表示画面に出力される文字、イメージを同様に出力するモニタ８０とを備える。例えば、図１１は、結合大型ＬＥＤ電光表示機１の電光表示画面に「ＳＡＬＥ」という文字を出力しているとき、モニタ８０にも同様の「ＳＡＬＥ」という文字が出力されている状態を示している。
【００３５】
このような結合式大型ＬＥＤ電光表示機１によれば、結合大型ＬＥＤ電光表示機１の電光表示画面に出力される文字、イメージをモニタ８０で確認することができるので、結合大型ＬＥＤ電光表示機１の電光表示画面を直接見ることができない設置状態でも、リモコン６０を用いて所望の表示内容を設定することが可能になる。なお、本実施形態では、モニタ８０をドア５３０の後面部に設置しているが、結合式大型ＬＥＤ電光表示機１を店舗内に設置する場合のように、モニタ８０の表示が邪魔になるようなケースでは、モニタ８０を電光表示機ケースブロック５１の内部に設置し、必要なときだけドア５３０を開けてモニタ８０の表示を確認するようにしてもよい。また、モニタ８０は、常設とせず、必要なときだけ結合式大型ＬＥＤ電光表示機１にケーブル等で接続するようにしてもよい。
【００３６】
叙述の如く構成された本実施形態によれば、建物に設けられる窓の室内側に沿って設置され、窓を介して室内から室外に向けて電光表示を行う大型ＬＥＤ電光表示機１であって、大型ＬＥＤ電光表示機１の電光表示画面を複数のＬＥＤピクセルパネル１０で構成するにあたり、ＬＥＤピクセルパネル１０がそれぞれ取付けられる複数の電光表示機ケースブロック５１を、水平方向及び／又は垂直方向に順次結合して電光表示画面を構成するものとし、電光表示機ケースブロック５１は、前面がＬＥＤピクセルパネル１０を設置するために開口され、後面がメンテナンスを行なうために開口されたケース部５１０と、ケース部５１０の前面開口部でＬＥＤピクセルパネルを支持するパネル支持部５２０と、ケース部５１０の後面開口部を開閉自在に覆うドア５３０とを備え、パネル支持部５２０は、ＬＥＤピクセルパネル１０を、後面開口部を介して後側から着脱可能に構成されるので、たとえＬＥＤピクセルパネル１０が故障したとしても、故障したＬＥＤピクセルパネル１０の電光表示機ケースブロック５１を他の電光表示機ケースブロック５１から分離したり、修理後に再び結合させる必要がなく、その結果、窓の室内側に沿って設置される大型ＬＥＤ電光表示機１のメンテナンス性を飛躍的に向上させることができる。
【符号の説明】
【００３７】
１      結合式大型ＬＥＤ電光表示機
１０    ＬＥＤピクセルパネル
２０    駆動ドライバーモジュール
３０    リモコン
３０    表示制御モジュール
４０    電源モジュール
５０    電光表示機ケース
５１    電光表示機ケースブロック
５２    電光表示機固定台
５３    ボルト
６０    リモコン
７０    リモコン受信部
８０    モニタ
５１０  ケース部
５２０  パネル支持部
５３０  ドア
５５０  貫通孔
５６０  締結部
５７０  ピン部
【図８】
2014219475.tif 000003
【図１】
2014219475.tif 000004
【図２】
2014219475.tif 000005
【図３】
2014219475.tif 000006
【図４】
2014219475.tif 000007
【図５】
2014219475.tif 000008
【図６】
2014219475.tif 000009
【図７】
2014219475.tif 000010
【図９】
2014219475.tif 000011
【図１０】
2014219475.tif 000012
【図１１】
2014219475.tif 000013